(57)【特許請求の範囲】
【請求項１】
各左右カップ部の少なくともバストトップ真下部位に所要幅を有するバスト持上布を部分的に設け、該バスト持上布の下辺は、カップ部の最下端部を支点としてカップ部下縁に沿って左右両側に延在し、上端点が少なくともバストトップ部近傍に達する釣鐘形状とし、該バスト持上布を肩紐と直接的に連結し、該バスト持上布を肩紐で直接的に引っ張り上げてバスト持上布によりバストを下方から持ち上げる構成としていることを特徴とするカップ部を有する衣類。
【請求項２】
上記バスト持上布の下辺は、カップ部最下端点よりカップ部内側端までの寸法３０％〜６０％の範囲とすると共にカップ部最下端点よりカップ部外側端までの寸法の２０％〜８０％の範囲とし、かつ、上記上端点は少なくともバストトップから半径２ｃｍの位置としている請求項１に記載のカップ部を有する衣類。
【請求項３】
上記バスト持上布は、カップ部を構成するカップ布の一部として用い、端縁を他のカップ布と縫着している請求項１または請求項２に記載のカップ部を有する衣類。
【請求項４】
上記バスト持上布は、カップ部を構成するカップ布の内面側、外面側あるいはカップ布がカップ表面布と内面布の２枚からなる場合はその間に挟んで配置し、少なくとも下辺はカップ布と縫着して取り付けている請求項１または請求項２に記載のカップ部を有する衣類。
【請求項５】
上記バスト持上布は、バストトップ部を通過してカップ部の上端点に達し、該カップ部の上端点で肩紐と連結している請求項１乃至請求項４のいずれか１項に記載のカップ部を有する衣類。
【請求項６】
上記バスト持上布は、バストトップ部からカップ部上端点を通った後にさらに肩紐の一部として延在させている請求項１乃至請求項４のいずれか１項に記載のカップ部を有する衣類。
【請求項７】
上記バスト持上布を備えたカップ部が、ブラジャー、ブラスリップ、ボデースーツ、あるいはカップ付き肌着に設けられている請求項１乃至請求項６のいずれか１項に記載のカップ部を有する衣類。
【発明の詳細な説明】
【０００１】
【発明の属する技術分野】
本発明は、ブラジャーやボデースーツ等のカップ部を有する衣類に関し、特にバストを下方から強力かつ効果的に持ち上げるものである。
【０００２】
【従来の技術】
従来の一般的なブラジャー１は、図１５に示すように、左右カップ布２と背面布３とを連結する左右の肩紐４でカップ布２を引き上げているが、この引き上げ力は、主として、バージスラインに沿ってカップ布２の下端縁に縫着された左右ワイヤ５の内側端点５ａ、外側端点５ｂの両端に、脇側縁布６を介して作用し、ワイヤ５の左右両端を図中矢印で示すように引き上げることにより、バストをワイヤ５で保持して持ち上げるようにしている。
【０００３】
また、従来、特に、バストアップ効果を有するブラジャーとして、特許公報第２５９８７５８号に、図１６に示すブラジャー１’が提案されている。このブラジャー１’は、バストの下部から脇側にかけて面的に覆う伸縮自在調節部材９を配し、該伸縮自在調節部材９の上縁をカップ布２’と縫着すると共に、伸縮自在調節部材９の表側を装飾押圧部材６’で覆い、該装飾押圧部材６’の外側上端点６ａ’を肩紐４’と連結している。
【０００４】
【発明が解決しようとする課題】
前記図１５に示す一般的なブラジャーは、カップ布はバストトップを頂点とする山状に隆起させた立体形状としているため、肩紐による引き上げ力がバストトップより上方の上カップ側に主として作用し、下カップ側には引き上げ力が効果的に作用しない構成となっている。よって、特に、バストの大きい人が着用した場合、バストの重みにより肩紐による引き上げ力がかかりにくく、バストアップを効果的に図れない問題がある。
【０００５】
一方、前記図１６に示すブラジャーでは、肩紐４’による引き上げ力は、装飾押圧部材６’の内側上端点６ｂ’を支点として、バストの脇側部分を中央側へと寄せる力として作用するが、バスト、特に、バストトップ部を上方へと持ち上げることはできない。
【０００６】
本発明は上記した従来の問題に鑑みてなされたものであり、バスト全体を持ち上げると共に、特に、バストトップおよびバストトップ真下部分を直接的、かつ強力に持ち上げ、バストの大きい人が着用した場合にもバストアップを効果的に図ることができるカップ部を有する衣類の提供を課題とするものである。
【０００７】
【課題を解決するための手段】
上記課題を解決するために、本発明は、各左右カップ部の少なくともバストトップ真下部位に所要幅を有するバスト持上布を部分的に設け、該バスト持上布の下辺は、カップ部の最下端部を支点としてカップ部下縁に沿って左右両側に延在し、上端点が少なくともバストトップ部近傍に達する釣鐘形状とし、該バスト持上布を肩紐と直接的に連結し、該バスト持上布を肩紐で直接的に引っ張り上げてバスト持上布によりバストを下方から持ち上げる構成としていることを特徴とするカップ部を有する衣類を提供している。
【０００８】
上記バスト持上布は、非伸縮性で強度を有する形状保持性の高い素材よりなる生地で形成することが好ましいが、素材は限定されない。またカップ布と同一素材を用いても良いし、カップ布よりも非伸縮性で強度を有する素材を用いてもよい。このバスト持上布としては、不織布、ウレタン、マーキジット、布を樹脂溶着したもの、ダブルラッセル等が用いられる。
【０００９】
バストでは、バストトップとバージスライン（乳房基底線）とを繋ぐラインの真ん中あるいは真ん中からやや下方よりの部分が最もバストの重みがかかる部分である。よって、本発明では、この最も重みがかかる部分、即ち、バストトップ真下部分で所要幅（具体的には、左右幅が４センチ以上）を有する部分にバスト持上布を配置している。かつ、このバスト持上布はバストトップからバージスラインの最下端点への垂線に対して、外側（脇側）への幅を内側への幅よりにやや広くしていることが好ましい。
【００１０】
このように、バスト持上布をバストの重みが最もかかる部分に配置して、面的に当接させ、該バスト持上布を直接的に連結している肩紐により引っ張り上げているため、強力にバストを持ち上げることができる。特に、バスト持上布の上端をバストトップ近傍に位置させ、あるいはバスト持上布がバストトップを通過して、その上端で肩紐と連結しているため、バストトップを肩紐により直接的に持ち上げることができる。
【００１１】
また、外側から中央側にバストを寄せて上げる従来のバストアップブラジャーと異なり、肩紐をバスト持上布に直接に連結しているため、肩紐による上方への引き上げ力は、バスト重量が最も負荷されるバスト持上布の特に下カップ部分に直接的に作用し、バストアップ効果を直接的かつ効果的に発揮させることができる。これにより、バージスラインに縫いこまれたワイヤーや肩紐に余分な力が負荷されず、特にバストの大きい女性が悩まされてきたワイヤーや肩紐の食い込みが緩和され、着用感を良好にすることができる。
【００１２】
上記バスト持上布は、カップ部を構成するカップ布の内面側、外面側あるいはカップ布がカップ表面布と内面布の２枚からなる場合はその間に挟んで配置し、少なくとも下辺はカップ布と縫着して取り付けている。いずれの構成としても、肩紐に直接的に連結されたバスト持上布がバスト下部、特に、バスト重量が最も負荷されるバストトップ真下部分を保持して持ち上げるため、効果的かつ強力なバストアップ効果を実現することができる。また、バスト持上布の表面にカップ表面布を配置すると、機能性と共にデザイン性や美観をブラジャーに与えることができる。また、バスト持上布を外面に配置して、カップ布を内面側とすると、バストに直接触れる箇所に肌触りの良好な生地を当てて着用感を良好とすることができる。さらに、バスト持上布をカップ表面布と内面布との間に挟む構成とすると、カップ部の下部の強度を大としてバストが下垂れするのをより効果的に防止することができる。
【００１３】
上記バスト持上布は、カップ部を構成するカップ布の一部として用い、端縁を他のカップ布と縫着してもよい。
【００１４】
上記したように、バスト持上布の下辺は、カップ部の最下端部を支点としてカップ部下縁に沿って左右両側に延在し、上端点が少なくともバストトップ部近傍に達する釣鐘形状としている。該バスト持上布の下辺は、カップ部最下端点よりカップ部内側端までの寸法３０％〜６０％の範囲とすると共にカップ部最下端点よりカップ部外側端までの寸法の２０％〜８０％の範囲とすることが好ましい。これは、内側が３０％未満あるいは外側が２０％未満では、バスト重量が最も負荷される部分をカバーしきれない一方、内側に６０％より大きく、あるいは外側が８０％より大きくなると、バスト持上布が肩紐により直接引き上げられたときにバスト下部の丸みがなくなり、またバスト持上布が内側端縁または外側端縁でバストから浮き上がりがちになり、美しいバストラインを形成できないことに因る。
【００１５】
また、バスト持上布の上端点は、少なくともバストトップから半径２ｃｍの位置とすることが好ましい。これは、バストトップから２ｃｍより外れると、バストトップの位置を効果的に上げることができないことによる。なお、バスト持上布の上端点がバストトップ下２ｃｍ位置であっても、この上端点と連結する肩紐によりバストトップを持ち上げることができる。
【００１６】
上記バスト持上布は、上記した釣鐘形状として、上端点から下辺に向かって幅広となる形状にすると、バストを安定的に保持することができると共に、肩紐により引っ張り上げられた時に、バストトップ近傍が最も前方に隆起する美しいバストラインを形成することができる。しかしながら、バスト持上布は釣鐘形状に限らず、下端を幅狭いとしてバストトップ真下部分は幅広とした卵形状、扇形状等にして、バストトップの真下部分を持ち上げることが出来るようにしてもよい。
【００１７】
上記バスト持上布は、バストトップ部を通過してカップ部の上端点に達し、該カップ部の上端点で肩紐と連結してもよい。あるいは、バストトップ部からカップ部上端点を通った後にさらに肩紐の一部として延在させてもよい。いずれの場合も、肩紐の引き上げ力が直接的にバスト持上布に伝わるため、高いバスト持上効果を図ることができる。
【００１８】
上記バスト持上布と連結する肩紐あるいはバスト持上布の一部からなる肩紐は、当然のことながら、カップ部の上端点でカップ布と縫着し、カップ布全体を引き上げている。
【００１９】
上記バスト持上布を備えたカップ部は、ブラジャーに限らず、ブラスリップ、ボデースーツ、あるいはカップ付き肌着に設けることができる。
【００２０】
【発明の実施の形態】
以下、発明の実施形態を図面を参照して説明する。
図１および図２は、本発明の第１実施形態に係るブラジャー１０を示し、該第１実施形態のブラジャーの左右カップ部１１は、ワイヤを取り付けるバージスラインに沿う一部を略釣鐘形状のカップ持上布１２より構成し、該カップ持上布１２の下辺１２ａを除く左右円弧状周縁１２ｂ、１２ｃを上側のカップ布１３と縫着して構成している。
【００２１】
上記カップ布１３は内側カップ布１３Ａと外側（脇側）カップ布１３Ｂとからなり、バストトップに当たるトップ部１１ａを中心とする三本の縫着ラインＬ１、Ｌ２、Ｌ３で内側カップ布１３Ａ、外側カップ布１３Ｂ、バスト持上布１２を縫着し、膨らんだバストを立体的に完全に収容できるフルカップ形状としている。
【００２２】
上記バスト持上布１２の下辺１２ａの長さ、即ち、下辺両端１２ｄと１２ｅ間の長さは、バージスラインの最下端点Ｐ１を中心として内側と外側とに分けて設定しており、本実施形態では最下端点Ｐ１から内側端１２ｄまでの長さを、最下端点Ｐ１からカップ下辺内側端Ｐ２までの長さの３０％とし、最下端点Ｐ１から外側点１２ｅまでの長さを、最下端点Ｐ１からカップ下辺外側点Ｐ３の長さの６０％としている。このように、バスト持上布１２は、カップ下辺の内側点Ｐ２から外側点Ｐ３にかけた全体には位置させず、バスト重量が最も付加される部分、即ち、バストトップ真下部位に所要の幅で配置している。
【００２３】
また、バスト持上布１２の左右円弧状周縁１２ｂと１２ｃとの連続点に当たる上端点１２ｇはカップ部のバストトップ１１ａに当たる位置となるように設定している。
【００２４】
バスト持上布１２と左右円弧状周縁１２ｂと縫着する内側カップ布１３Ａ、外側カップ布１３ｂの下辺は、バスト持上布１２の下辺１２ａの内側と外側に位置してカップ部１１の下辺を構成し、これらバスト持上布１２、内側カップ布１３Ａ、外側カップ布１３Ｂとを支持布２０の上縁と縫着し、かつ、この縫着部分にワイヤーを収容したテープ２２を取り付けている。
【００２５】
左右の肩紐２５は、カップ部１１の表面側に位置させて、その下端２５ａをバスト持上布１２の上端点１２ｇと縫着すると共に、内側カップ布１３Ａと外側カップ布１３Ｂとの縫着線Ｌ１に沿って縫着し、カップ部１１の上端点Ｐ４より肩側へと延在させている。この肩紐２５は、支持布２０の脇側端と縫着する左右背面布２７に下端を縫着する背面側肩紐２６と長さ調節自在となるように連結具２８を介して連結している。
【００２６】
上記のように内側カップ布１３Ａ、外側カップ布１３Ｂ、バスト持上布１２、支持布２０、背面布２７を縫着した後、背面布２７の上端縁、支持布２０の脇下上端縁、外側カップ布１３Ｂの上端に沿って連続して縁テープ２９を縫着し、該縁テープ２９の先端を肩紐２５と縫着している。また、カップ内側布１３Ａの上端縁に沿って縁テープ３０を縫着し、その先端も肩紐２５と縫着している。さらに、背面布２７の下端縁から支持布２０の下端縁に沿っても連続して縁テープ３１を縫着している。
【００２７】
上記バスト持上布１２は、伸縮性がなく形状保持性の高い不織布にトリコットをカバーリングして形成している。また、内側カップ布１３Ａと外側カップ布１３Ｂおよび背面布２７は一方向に伸縮性を有するパワーネット、支持布２０は伸縮性のないマーキジット、肩紐２５は伸縮性はあるがパワーの強いストレッチテープから形成している。
【００２８】
上記構成のブラジャー１０を着用すると、バスト下部に当接する箇所に伸縮性がなく形状保持性の高いバスト持上布１２が位置し、該バスト持上布１２を肩紐２５と直接連結しているため、肩紐２５による引っ張り力がバストの重みが最も加わるバスト持上布１５に直接的に作用し、下垂するバストを下から面的に保持して効果的に持ち上げることができる。従って、バストを外側から寄せ上げる従来タイプのブラジャーと異なり、上方から直接的に上向きに強力にバストを持ち上げることができ、かつ、バスト持上布１２の上端がバストトップ位置にあるため、バストトップも確実に持ち上げることができる。
【００２９】
特に、バスト持上布１２の下辺は、最下端点Ｐ１より外側を広く裁断して、最もバスト重量がかかるポイントを持ち上げているため、バストが外側に逃げることを防止でき、よって、バストの大きい人でもバストが安定し、効果的にバストトップを上げることができる。
【００３０】
さらに、バスト持上布１２と連結した肩紐２５には、テープ布２９、３０を縫着し、これらテープ布２９、３０を介してワイヤーの両端に引き上げ力を伝達しているため、ワイヤーによるバストアップ効果も相乗的に生じさせることができる。其の際、バストの重量をバスト持上布１２により保持することにより、肩紐やワイヤーに大きな負荷をかけず、よって、バストを引き上げようとしていた時に生じる肩紐やワイヤーの食い込みを低減、防止することができる。
【００３１】
図３は第１実施形態の第１変形例を示し、第１実施形態との相違点は、肩紐２５はカップ部１１の裏面側でカップ布１３Ａ、１３Ｂおよびバスト持上布１２と縫着し、かつ、カップ布１３Ａ、１３Ｂの上端縁は波形状のデザインを与えている点である。他の構成および作用効果は第１実施形態と同様であるため説明を省略する。
【００３２】
図４は第２変形例を示し、第１実施形態とはカップ布１３の形状を相違させており、内側カップ布１３Ａの上縁を低くして、外側カップ布１３Ｂとの上端点を相違させている。肩紐２５は、その下端をバスト持上布１２の上端と縫着した後、内側カップ布１３Ａと外側カップ布１３Ｂとに縫着した後、外側カップ布１３Ｂにのみ一側縁を縫着させている。
【００３３】
図５は第３変形例を示し、上記第２変形例よりも更に内側カップ布１３Ｂを低くして、上端をバスト持上布１２の上端と一致させ、バスト持上布１２の内側にのみ縫着している。よって、肩紐２５は、その下端をバスト持上布１２の上端に縫着すると共に、外側カップ布１３Ｂとのみ縫着している。
【００３４】
図６は第４変形例を示し、カップ部１１の下部には支持布を配置していない所謂メガネ形状のブラジャーに適用したものである。また、バスト持上布１２の下辺１２ａは第１実施例より幅広とし、最下端点Ｐ１から内側点１２ｄまでの長さを、Ｐ１−Ｐ２の寸法の６０％、最下端点Ｐ１から外側点１２ｅまでの長さを、Ｐ１−Ｐ３の寸法の８０％としている。
【００３５】
図７は第５変形例を示し、支持布２０はバスト持上布１２と内側カップ布１３Ａの下部にのみ配置し、外側カップ布１３Ｂの下部には配置せず、外側カップ布１３Ｂを下方へ延在させて、その下辺を支持布２０の下辺と連続させると共に、背面布２７と縫着している。この第５変形例ではワイヤーを用いていない。
【００３６】
図８は第２実施形態を示し、ブラジャー１０のカップ部１１は上カップ布４０Ａと下カップ布４０Ｂとからなるカップ布４０で表側カップ布を構成し、裏面側において、下カップ布４０Ｂと重ねてバスト持上布１２を配置して縫着している。肩紐２５はカップ布４０の裏面側と縫着すると共に、その下端をバスト持上布１２の上端と縫着している。
【００３７】
図９は第３実施形を示し、ブラジャー１０のカップ部１１は、それぞれ上下カップ布からなる表側布４１と裏面布４２とから構成し、これら表側布４１と裏面布４２との間の下部にバスト持上布１２をサンドイッチ状に挟みこんで縫着している。肩紐２５はカップ部１１の上端から表側布４１と裏面布４２との間に挿入して縫着し、かつ、その下端をバスト持上布１２の上端と縫着している。
【００３８】
図１０は第４実施形態を示し、バスト持上布１２’は、前記第１〜第３の実施形態の釣鐘形状のバスト持上布の上端をカップ部１１の上端まで延在させている。即ち、バストトップから下部は前記第１〜第３実施形態と同様な釣鐘状とし、その上端部分をカップ部上端まで直線形状に延在させており、このカップ部上端点で肩紐２５と縫着している。該バスト持上布１２’によりカップ部１１の一部を構成して内側カップ布１３Ａおよび外側カップ布１３Ｂと周縁を縫着している。
【００３９】
図１１は第４実施形態の変形例を示し、上記釣鐘状としたバスト持上布１２’を、第２実施形態と同様に、カップ布４０の裏面側に配置し、下辺１２ａ’のみカップ布１３と連続させてワイヤーを封入したテープ布を介して支持布２０と縫着し、周縁１２ｂ’、１２ｃ’はカップ布と縫着せずに遊離させ、上端を肩紐２５およびカップ布の上端と縫着している。なお、同様の構成としたバスト持上布１２’をカップ布の表面側、あるいは表側カップ布と裏面側カップ布間に取り付けてもよい。
【００４０】
図１２は第５実施形態を示し、バスト持上布１２”をカップ部１１の上端よりも更に延在させて肩紐部分１２ｘ”を設け、該肩紐部分１２ｘ”を背面側肩紐２６と長さ調節自在となるように連結具２８を介して連結している。
このように、肩紐を別体とせずにバスト持上布より形成すると、より強い力でバスト持上布を持ち上げてバストアップを図ることができる。
【００４１】
図１３（Ａ）（Ｂ）は第６実施形態を示し、バスト持上布１２’”は、下辺幅はせまくし、バストトップ近傍の幅が広くなる卵形状（図１３（Ａ））と扇形状（図１３（Ｂ））としている。このようにバストトップの直下を幅広いにすると、下辺を幅狭としても、バストトップおよび該バストトップの真下部分を持ち上げて、バストアップを効果的に図ることができる。
【００４２】
本発明は上記実施形態に限定するものではなく、図１４（Ａ）（Ｂ）（Ｃ）（Ｄ）に示すように、ロングブラジャー、ブラスリップ、ボデースーツ、カップ付き肌着等に広く適用できる。
【００４３】
【発明の効果】
以上の説明より明らかなように、本発明によれば、バスト重量が最も負荷されるバストトップ真下部分を含むバスト下部にバスト持上布を配置し、該バスト持上布を肩紐と直接的に連結させているため、肩紐の引っ張り上げ力が直接的かつ強力にバスト持上布に作用し、バストを下方から全体的に持ち上げ、特に、バストトップ部分を上向きかつ前向きとして、バストラインの補整を図ることができる。
【００４４】
また、バスト持上布がバストの下部を面的に保持すると共に、肩紐によってバスト持上布さらにはバストの下部が真っ直ぐ上方に持ち上げられるため、特にバストの大きい女性を悩ましてきたワイヤーや肩紐の締め付けや食い込みを緩和し、着用感を高めながらも、非常に効果的にバストアップ効果を発揮することができる。
【図面の簡単な説明】
【図１】  本発明の第１実施形態に係るブラジャーを示す斜視図である。
【図２】  図１のＩＩ−ＩＩ線断面図である。
【図３】  第１実施形態の第１変形例のブラジャーの斜視図である。
【図４】  第１実施形態の第２変形例のブラジャーの斜視図である。
【図５】  第１実施形態の第３変形例のブラジャーの斜視図である。
【図６】  第１実施形態の第４変形例のブラジャーの斜視図である。
【図７】  第１実施形態の第５変形例のブラジャーの斜視図である。
【図８】  （Ａ）は本発明の第２実施形態のブラジャーの斜視図、（Ｂ）は断面図である。
【図９】  本発明の第３実施形態のブラジャーの断面図である。
【図１０】  本発明の第４実施形態のブラジャーの斜視図である。
【図１１】  第４実施形態の変形例のブラジャーの斜視図である。
【図１２】  本発明の第５実施形態のブラジャーの斜視図である。
【図１３】  （Ａ）（Ｂ）は本発明の第６実施形態のブラジャーの斜視図である。
【図１４】  （Ａ）は本発明に係るロングブラジャー、（Ｂ）は本発明に係るブラスリップ、（Ｃ）は本発明に係るボデースーツ、（Ｄ）は本発明に係るカップ付き肌着をそれぞれ示す概略斜視図である。
【図１５】  従来例の斜視図である。
【図１６】  （Ａ）（Ｂ）は他の従来例の斜視図である。
【符号の説明】
１０  ブラジャー
１１  カップ部
１２、１２’、１２”、１２’”  バスト持上布
１３  カップ布
１３Ａ  内側カップ布
１３Ｂ  外側カップ布
２０  支持布
２５  肩紐
２６  背面側肩紐
２７  背面布
Ｐ１  最下端点
Ｐ２  カップ部内側点
Ｐ３  カップ部外側点
Ｐ４  上端点
【図１】
0003686812.tif 000002
【図２】
0003686812.tif 000003
【図３】
0003686812.tif 000004
【図４】
0003686812.tif 000005
【図５】
0003686812.tif 000006
【図６】
0003686812.tif 000007
【図７】
0003686812.tif 000008
【図８】
0003686812.tif 000009
【図９】
0003686812.tif 000010
【図１０】
0003686812.tif 000011
【図１１】
0003686812.tif 000012
【図１２】
0003686812.tif 000013
【図１３】
0003686812.tif 000014
【図１４】
0003686812.tif 000015
【図１５】
0003686812.tif 000016
【図１６】
0003686812.tif 000017